(57)【要約】      （修正有）【課題】取り付け、取り外しが容易であると共に、保管スペースに困らない特殊信号発光機用の防護カバーを提供する。【解決手段】特殊信号発光機４用の防護カバー１は、天井部３が閉鎖し、底部が開口した、上下方向に折り畳み可能な蛇腹状の筒体よりなる。また、筒体は、複数の同一形状の円錐台状の筒状蛇腹素子２が、上下逆になるよう交互に結合されて形成されている。また、筒体は、布製と合成樹脂製が重ね合わされて形成された複合シートよりなり、シートは遮光性、耐候性、防水性を備え、例えばターポリンよりなる。また、特殊信号発光機用の防護カバーの設置具は、防護カバーを保持する保持手段と、該保持手段を固定した棒体とよりなる。【選択図】図１
0003229589.tif 000002
【実用新案登録請求の範囲】
【請求項１】
天井部が閉鎖し、底部が開口した、上下方向に折り畳み可能な蛇腹状の筒体よりなることを特徴とする特殊信号発光機用の防護カバー。
【請求項２】
上記筒体は、複数の同一形状の円錐台状の筒状蛇腹素子が、上下逆になるよう交互に結合されて形成されていることを特徴とする請求項１に記載の特殊信号発光機用の防護カバー。
【請求項３】
上記筒体は、布製と合成樹脂製が重ね合わされて形成された複合シートよりなることを特徴とする請求項１または２に記載の特殊信号発光機用の防護カバー。
【請求項４】
上記シートは、遮光性、耐候性、防水性を備えた、ターポリンよりなることを特徴とする請求項３に記載の特殊信号発光機用の防護カバー。
【請求項５】
上記各筒状蛇腹素子は、縫製により結合されていることを特徴とする請求項３または請求項４に記載の特殊信号発光機用の防護カバー。
【請求項６】
天井部が閉鎖し、底部が開口した、上下方向に折り畳み可能な蛇腹状の筒体よりなる、特殊信号発光機用の防護カバーを保持する保持手段と、
該保持手段を固定した棒体とよりなることを特徴とする特殊信号発光機用の防護カバーの設置具。
【請求項７】
上記保持手段は、上記防護カバーを載置する載置台であることを特徴とする請求項６に記載の特殊信号発光機用の防護カバーの設置具。
【請求項８】
上記載置台には、特殊信号発光機を挿通できると共に、該挿通した特殊信号発光機から取り出せるよう形成された切り欠き部を有することを特徴とする請求項７に記載の特殊信号発光機用の防護カバーの設置具。
【請求項９】
天井部が閉鎖し、底部が開口した、上下方向に折り畳み可能な蛇腹状の筒体よりなる、特殊信号発光機用の防護カバーと、
該防護カバーを保持する保持手段と、該保持手段を固定した棒体とよりなる特殊信号発光機用の防護カバーの設置具と
よりなることを特徴とする特殊信号発光機用の防護カバー装置。
【請求項１０】
上記保持手段は、上記防護カバーを載置する載置台であることを特徴とする請求項９に記載の特殊信号発光機用の防護カバー装置。
【請求項１１】
上記載置台には、特殊信号発光機を挿通できると共に、該挿通した特殊信号発光機から取り出せるよう形成された切り欠き部を有することを特徴とする請求項１０に記載の特殊信号発光機用の防護カバー装置。
【考案の詳細な説明】
【技術分野】
【０００１】
本考案は、特殊信号発光機（点滅形）を、設置後、使用の用に供するまで未使用状態を維持するための防護カバー、及び、この防護カバーの設置具、及び、防護カバーと防護カバーの設置具とよりなる防護カバー装置に関するものである。
【背景技術】
【０００２】
例えば、踏切など異常時に緊急に列車等を停止させることが必要な場所には、特殊信号発光機が設置される。かかる特殊信号発光機の新設工事では、設置から使用の用に供するまでは、未使用であることが分かるように覆いをかぶせる必要がある。
【０００３】
かかる覆いは、従来、例えば、黒ビニール袋や塩ビ管などを用いていたが、ビニールテープで固定する手間などがあり、また、塩ビ管が大きく重量があり、取り扱いが難しかった。
【０００４】
そのため、筒体を２つ割りにして、正面カバーと背面カバーの間で、特殊信号発光機を挟んで、固定することにより、簡単に覆いができるようにしたものがある（特許文献１）。
【先行技術文献】
【特許文献】
【０００５】
【特許文献１】特開２０１１−２０７２９２号公報
【考案の概要】
【考案が解決しようとする課題】
【０００６】
しかしながら、上記従来の覆いは、簡単に覆うことができるという利点があるが、覆いに使用している材料は大きいので、保管スペースが必要であり、近年、特殊信号発光機の設置個数が増え、そのため、覆いに使用している材料も増え、保管スペースに困るという欠点があった。また、簡単に覆いができるものがなかった。
【０００７】
本考案は、上記の欠点を除くようにしたものである。
【課題を解決するための手段】
【０００８】
本考案の特殊信号発光機用の防護カバーは、天井部が閉鎖し、底部が開口した、上下方向に折り畳み可能な蛇腹状の筒体よりなることを特徴とする。
【０００９】
また、上記筒体は、複数の同一形状の円錐台状の筒状蛇腹素子が、上下逆になるよう交互に結合されて形成されていることを特徴とする。
【００１０】
また、上記筒体は、布製と合成樹脂製が重ね合わされて形成された複合シートよりなることを特徴とする。
【００１１】
また、上記シートは、遮光性、耐候性、防水性を備え、例えば、ターポリンよりなることを特徴とする。
【００１２】
また、上記各筒状蛇腹素子は、縫製により結合されていることを特徴とする。
【００１３】
また、本考案の特殊信号発光機用の防護カバーの設置具は、天井部が閉鎖し、底部が開口した、上下方向に折り畳み可能な蛇腹状の筒体よりなる、特殊信号発光機用の防護カバーを保持する保持手段と、該保持手段を固定した棒体とよりなることを特徴とする。
【００１４】
また、本考案の特殊信号発光機用の防護カバー装置は、天井部が閉鎖し、底部が開口した、上下方向に折り畳み可能な蛇腹状の筒体よりなる、特殊信号発光機用の防護カバーと、該防護カバーを保持する保持手段と、該保持手段を固定した棒体とよりなる特殊信号発光機用の防護カバーの設置具とよりなることを特徴とする。
【００１５】
また、上記保持手段は、上記防護カバーを載置する載置台であることを特徴とする。
【００１６】
また、上記載置台には、特殊信号発光機を挿通できると共に、該挿通した特殊信号発光機から取り出せるよう形成された切り欠き部を有することを特徴とする。
【考案の効果】
【００１７】
本考案によれば、取り付け、取り外しが容易であると共に、保管スペースに困らないという利点がある。
【図面の簡単な説明】
【００１８】
【図１】本考案の特殊信号発光機用の防護カバーの説明用側面図である。
【図２】本考案の特殊信号発光機用の防護カバーの伸張時の説明用側面図である。
【図３】本考案の特殊信号発光機用の防護カバーの縮小時の説明用側面図である。
【図４】本考案の特殊信号発光機用の防護カバーの取り付け時の説明用側面図である。
【図５】本考案の特殊信号発光機用の防護カバーの取り付け時の説明用側面図である。
【図６】本考案の特殊信号発光機用の防護カバーの設置具の説明用側面図である。
【図７】本考案の特殊信号発光機用の防護カバーの設置具の説明用平面図である。
【図８】本考案の特殊信号発光機用の防護カバーの設置具を用いた取り付け時の説明用側面図である。
【考案を実施するための形態】
【００１９】
以下図面によって本考案の実施例を説明する。
【実施例１】
【００２０】
（１．防護カバーの構造の説明）
【００２１】
本考案の特殊信号発光機用の防護カバー１は、図１〜図５に示すように、天井部が閉鎖し、底部が開口した、上下方向に折り畳み可能な蛇腹状の筒体よりなり、該防護カバーは、例えば、模式図としてあらわした図２及び図３に示すように、外径３２ｃｍ、内径１２ｃｍ、厚さ０．５ｍｍ（例えば、ターポリンの場合）であり、伸張時の上下方向の長さが９０ｃｍであり、縮小時の上下方向の長さは、６．２ｃｍである。
【００２２】
上記筒体は、例えば、図２及び図３に示すように、複数の同一形状の円錐台状の筒状蛇腹素子２が、上下逆になるよう交互に結合されて形成されて、上下方向に折り畳み可能に形成され、上部開口は、天井部３により閉鎖して形成される。
【００２３】
また、上記筒体は、例えば、布製と合成樹脂製が重ね合わされて形成された複合シート（例えば、ターポリン）よりなり、隣接する上記筒状蛇腹素子２は、例えば、縫製により接合される。なお、上記筒体は、布製であっても、合成樹脂製であってもよい。また、上記筒状蛇腹素子２は、接着、熱融着等により接合してもよい。
【００２４】
また、上記シートは、外部から見えないように不透明に形成され、例えば、遮光性、耐候性、防水性となるように形成される。
【００２５】
なお、ガタツキ防止のため、上記筒体の内径は、例えば、特殊信号発光機４の外径より若干大きい程度が好ましい。
【００２６】
なお、５は、上記特殊信号発光機４の下端に設けられた支持棒である。
【００２７】
なお、上記筒体は、上下方向に渡って同一径の円筒体であってもよく、また、上下方向に所望の距離を離間して、複数の補強ワイヤーを、円周方向に沿って設け、該ワイヤーを設けた位置を基準に、それぞれ折り畳まれるようにしたものであってもよい。
【００２８】
（２．防護カバーの使用方法の説明）
【００２９】
本考案の特殊信号発光機用の防護カバーは、上記のような構成であるから、まず、上記防護カバー１の使用前においては、図３に示すように、上下方向に折り畳まれた状態で保管されている。
【００３０】
かかる折り畳まれた状態とすることで、コンパクトになり、保管スペースに困ることがない。
【００３１】
そして、特殊信号発光機の新設工事においては、例えば、図４に示すように、上記折り畳まれた状態の防護カバー１を、使用開始前の特殊信号発光機４の上部に設け、そして、該防護カバー１を、下方に下げ、折り畳まれた防護カバー１を伸張させ、図５に示すように、上記特殊信号発光機を覆うようにする。
【００３２】
そして、特殊信号発光機の新設工事においては、例えば、図４に示すように、上記折り畳まれた状態の防護カバー１を、使用開始前の特殊信号発光機４の上部に設け、そして、該防護カバー１を、下方に下げて、上記特殊信号発光機４にかぶせて、該特殊信号発光機４の上端に、上記防護カバー１の天井部３を乗せるようにする。これにより、上記折り畳まれた防護カバー１は自重により、下方に伸張していき、図５に示すように、上記特殊信号発光機４の全体を覆うようになる。
【００３３】
これにより、特殊信号発光機４を簡単に覆うことができるようになる。
【００３４】
また、上記防護カバー１を折り畳んだ状態で、装着するので、上記特殊信号発光機４の上部に障害物があった場合でも、該特殊信号発光機４と障害物の間に、防護カバー１を挿入することができるので、取り付け、取り外しが容易になる。
【００３５】
なお、上記防護カバー１の上下方向の長さを、上記特殊信号発光機４の上下方向の長さより長くし、記特殊信号発光機４を覆った防護カバー１の下端においては、折り畳み部分を残すことにより、この部分が重しになり、飛散の軽減を図ることができるようになる。
【００３６】
また、重さも、例えば、１ｋｇ程度と軽量で、取り付け、取り外しが容易になり、また、作業現場への持ち運びも便利である。
【００３７】
本考案の防護カバーによれば、取り外しが容易であると共に、保管スペースに困らないという利点がある。
【００３８】
（３．防護カバーの設置具の説明）
【００３９】
なお、図６〜図８に示すように、上記防護カバー１を、防護カバーの設置具６を用いて、上記特殊信号発光機４に被せるようにしてもよい。
【００４０】
該防護カバーの設置具６は、例えば、棒体７と、この棒体７の上端に設けられた、上記防護カバーを保持する保持手段としての、防護カバー載置台８とよりなり、上記棒体７は、特殊信号発光機４の上端まで届く長さに形成され、上記防護カバー載置台８の一端部側に固定され、また、上記載置台８は、上記防護カバー１を載置する、例えば、板体よりなる載置台部８ａと、該載置台部８ａ（載置台８）の他端部の縁部から中央部にまで延びて形成された、例えば、Ｕ字状の切り欠き部８ｂとよりなる。
【００４１】
そして、上記切り欠き部８ｂは、上記特殊信号発光機４を挿通できると共に、該挿通した特殊信号発光機４（該特殊信号発光機に固定された支持棒部分も含む）から取り出せるように形成される。
【００４２】
なお、８ｃは、上記載置台部８ａの他端部の先端部の上面に設けた凸部を示し、該凸部８ｃにより、上記防護カバー１が載置台から落ちるのを防止するようにする。
【００４３】
（４．防護カバーの設置具の使用方法の説明）
【００４４】
上記防護カバーの設置具６においては、図８に示すように、高所の上記特殊信号発光機４の上方に、上記防護カバー１を持ち上げ、位置させることができる。
【００４５】
そして、上記防護カバー載置台８を、下方に下げれば、上記防護カバー１を、上記特殊信号発光機４に被せることができ、そして、そのまま下方に移動させて、該特殊信号発光機４の上端に、上記防護カバー１の天井部３を乗せ、更に、下方に下げれば、上記折り畳まれた防護カバー１は自重により、下方に伸張し、全体を覆うことができるようになる。
【００４６】
上記防護カバー１により上記特殊信号発光機４を覆った後は、上記防護カバー載置台８を横に移動させることにより、上記切り欠き部８ｂから上記支持棒５が抜けて、取り外すことができるようなる。
【００４７】
以上により、この防護カバー設置具８を用いることにより、容易に、上記防護カバー１を上記特殊信号発光機４に被せることができるようなる。
【００４８】
なお、上記防護カバーの設置具６の他の例としては、棒体と、該棒体の上端に設けた、上記防護カバーを保持する保持手段としての、上記防護カバー１の側部を挟持可能な挟持部と、上記棒体の手元部分に設けた、上記挟持部の操作部とにより構成してもよい。
【００４９】
該防護カバーの設置具によれば、上記操作部を操作して、上記防護カバーの側部を上記挟持部により挟持し、上記防護カバーを上記特殊信号発光機に被せた後は、上記操作部を操作して、上記防護カバーの挟持を解き、上記防護カバーにより上記特殊信号発光機を覆うようにしてもよい。
【００５０】
（５．防護カバー装置の説明）
【００５１】
そして、上記防護カバー１と上記防護カバーの設置具６とにより、防護カバー装置９が構成されるようになる。
【符号の説明】
【００５２】
１      防護カバー
２      筒状蛇腹素子
３      天井部
４      特殊信号発光機
５      支持棒
６      設置具
７      棒体
８      載置台
８ａ    載置台部
８ｂ    切り欠き部
８ｃ    凸部
９      防護カバー装置
【図１】
0003229589.tif 000003
【図２】
0003229589.tif 000004
【図３】
0003229589.tif 000005
【図４】
0003229589.tif 000006
【図５】
0003229589.tif 000007
【図６】
0003229589.tif 000008
【図７】
0003229589.tif 000009
【図８】
0003229589.tif 000010
【手続補正書】
【提出日】令和2年9月23日(2020.9.23)
【手続補正１】
【補正対象書類名】実用新案登録請求の範囲
【補正対象項目名】全文
【補正方法】変更
【補正の内容】
【実用新案登録請求の範囲】
【請求項１】
天井部が閉鎖し、底部が開口した、上下方向に折り畳み可能な蛇腹状の筒体よりなることを特徴とする特殊信号発光機用の防護カバー。
【請求項２】
上記筒体は、布製と合成樹脂製が重ね合わされて形成された複合シートよりなることを特徴とする請求項１に記載の特殊信号発光機用の防護カバー。
【請求項３】
上記シートは、遮光性、耐候性、防水性を備えた、ターポリンよりなることを特徴とする請求項２に記載の特殊信号発光機用の防護カバー。
【請求項４】
上記筒体は、複数の同一形状の円錐台状の筒状蛇腹素子が、上下逆になるよう交互に結合されて形成されていることを特徴とする請求項１、２または３に記載の特殊信号発光機用の防護カバー。
【請求項５】
上記各筒状蛇腹素子は、縫製により結合されていることを特徴とする請求項４に記載の特殊信号発光機用の防護カバー。
【請求項６】
天井部が閉鎖し、底部が開口した、上下方向に折り畳み可能な蛇腹状の筒体よりなる、特殊信号発光機用の防護カバーを保持する保持手段と、
該保持手段を固定した棒体とよりなることを特徴とする特殊信号発光機用の防護カバーの設置具。
【請求項７】
上記保持手段は、上記防護カバーを載置する載置台であることを特徴とする請求項６に記載の特殊信号発光機用の防護カバーの設置具。
【請求項８】
上記載置台には、特殊信号発光機を挿通できると共に、該挿通した特殊信号発光機から取り出せるよう形成された切り欠き部を有することを特徴とする請求項７に記載の特殊信号発光機用の防護カバーの設置具。
【請求項９】
天井部が閉鎖し、底部が開口した、上下方向に折り畳み可能な蛇腹状の筒体よりなる、特殊信号発光機用の防護カバーと、
該防護カバーを保持する保持手段と、該保持手段を固定した棒体とよりなる特殊信号発光機用の防護カバーの設置具と
よりなることを特徴とする特殊信号発光機用の防護カバー装置。
【請求項１０】
上記保持手段は、上記防護カバーを載置する載置台であることを特徴とする請求項９に記載の特殊信号発光機用の防護カバー装置。
【請求項１１】
上記載置台には、特殊信号発光機を挿通できると共に、該挿通した特殊信号発光機から取り出せるよう形成された切り欠き部を有することを特徴とする請求項１０に記載の特殊信号発光機用の防護カバー装置。